(57)【要約】    【課題】  いわゆる半ドア状態を防止し、扉を勢いよく閉じた際の衝撃を低減する。    【解決手段】  本体筐体１内に設けられた貯蔵室の前面開口部を覆う引出し扉１４、引出し扉１４とともに引き出され食品が収納される収納容器２０、収納容器２０を支持する枠体１１’からなる引出し部と、引出し部に設けられた引き込みピン２２と、引き込みピン２２と当接又は離反可能な扉閉鎖手段１０と、を備え、  引出し部が本体筐体１から引き出され、あるいは本体筐体１に押し込まれると、引き込み部材が引き込みピン２２を引き込んで引出し扉１４を閉じる構成とした。【選択図】  図１
2007132605.tif 000002
【特許請求の範囲】
【請求項１】
本体筐体内に設けられた貯蔵室の前面開口部を覆う引出し扉、前記引出し扉とともに引き出され食品が収納される収納容器、及びこの収納容器を支持する枠体からなる引出し部と、
前記引出し部に設けられた被引き込み部材と、
前記貯蔵室側に設けられ前記被引き込み部材と当接又は離反可能な扉閉鎖手段と、を備えた冷蔵庫において、
前記扉閉鎖手段は、前記貯蔵室の底面に設けられ、前記被引き込み部材と係合して前記引出し部を引き込む引き込み部材を有し、
この引き込み部材は弾性体によって前記引出し部を開く方向と閉じる方向に付勢される状態を取り得るように回転可能に設けられ、前記被引き込み部と係合するための引き込み溝を有し、
前記引き込み部材の上面はカバーで覆われており、前記カバーには前記引出し部が引き出される方向に延伸した溝部が設けられ、
前記引出し部が前記本体筐体から引き出され、あるいは前記本体筐体に押し込まれると、前記引き込み部材が回転し、
前記引き込み部材が回転したときに、前記引出し部が引き出された状態、前記引出し部が閉じられた状態、及び前記引出し部が引き出されているあるいは閉じられている状態のいずれの状態であっても、前記引き込み溝が前記溝部の下側に位置する構成とした冷蔵庫。
【請求項２】
本体筐体内に設けられた貯蔵室の前面開口部を覆う引出し扉、前記引出し扉とともに引き出され食品が収納される収納容器、及びこの収納容器を支持する枠体からなる引出し部と、
前記引出し部に設けられた被引き込み部材と、
前記貯蔵室側に設けられ前記被引き込み部材と当接又は離反可能な扉閉鎖手段と、を備えた冷蔵庫において、
前記扉閉鎖手段は、前記貯蔵室の底面に設けられ、前記被引き込み部材と係合して前記引出し部を引き込む引き込み部材を有し、
この引き込み部材は弾性体によって前記引出し部を開く方向と閉じる方向に付勢される状態を取り得るように回転可能に設けられ、前記被引き込み部と係合するための引き込み溝を有し、
前記引出し部が前記本体筐体から引き出され、あるいは前記本体筐体に押し込まれると、前記引き込み部材が回転し、
前記引出し部が閉じられる方向に前記引き込み部材が回転したときに減衰力を付与する減衰手段を備え、この減衰手段は前記引き込み部材よりも小さな歯車部材に設けられたことを特徴とする冷蔵庫。
【請求項３】
前記減衰手段と前記引き込み部材との間には互いに空間を隔てる隔壁を設けたことを特徴とする請求項２記載の冷蔵庫。
【請求項４】
前記扉閉鎖手段は、前記貯蔵室の奥側であって、幅方向の中央部に配置したことを特徴とする請求項１乃至３のいずれかに記載の冷蔵庫。
【請求項５】
前記被引き込み部材は、前記引出し部の底部に設けられた引き込み部材回動中心のまわりに揺動自在に設けられた引き込みピンを備えており、この引き込みピンは前記揺動中心よりも手前側に位置する請求項１乃至４のいずれかに記載の冷蔵庫。
【請求項６】
前記溝部は手前側の幅を広くしてテーパ形状としたことを特徴とする請求項１乃至５のいずれかに記載の冷蔵庫。
【請求項７】
前記引出し扉は、閉状態において前記本体筐体の開口周縁部との間をマグネットによって引き付けられており、前記引き込み部材による前記引出し部の引き込み力は、マグネットによる引き付け力よりも遠い位置から働くものとしたことを特徴とする請求項１乃至６のいずれかに記載の冷蔵庫。
【請求項８】
前記引き込み部材は、
前記引出し部が開かれた状態である第一の回転位置と、前記引出し部が閉じられた状態である第二の回転位置との他に、前記第二の回転位置よりも前記引き込み溝がさらに奥側に位置する第三の回転位置との状態を取り得るように構成されており、
前記第一の回転位置及び前記第三の回転位置を位置決めする回転ストッパを有し、
前記引き込み部材が前記第三の回転位置から前記第一の回転位置へと戻すための復帰手段を備えたことを特徴とする請求項１乃至７のいずれかに記載の冷蔵庫。
【請求項９】
前記引き込み部材は回転部材に設けられた引き込み溝よりも手前側に前記復帰手段を備え、
前記復帰手段は、前記第三の回転位置において前記溝部内に位置する揺動アームと、前記揺動アームに復帰力を加える復帰ばねとを備え、
前記引き込み部材が前記第三の回転位置にある状態において、前記引出し部を開状態から閉じる際には、前記被引き込み部材が前記揺動アームに当接して前記引き込み部材を前記揺動アームの一面側から他面側に移動させ、
前記引出し部を引き出すと、前記被引き込み部材が前記引き込み部材を前記第一の回転位置へと導く構成とした請求項８に記載の冷蔵庫。
【請求項１０】
複数の貯蔵室を備え、複数の引出し扉によって閉塞される構成とし、前記複数の貯蔵室は異なる温度帯に設定されており、これらの貯蔵室が断熱壁によって区画され、
前記扉閉鎖手段は複数の異なる温度帯に設定される貯蔵室内にそれぞれに設置され、これらの扉閉鎖手段に設けられた減衰手段は、各々の温度帯において略同一の減衰力を生じるように前記減衰手段の粘性油の粘度を設定したことを特徴とする請求項１乃至９のいずれかに記載の冷蔵庫。
【請求項１１】
引出し扉とともに前後に移動する被引き込み部材と当接又は離反可能な扉閉鎖装置において、
前記扉閉鎖装置は、前記被引き込み部材と係合して前記引出し扉を引き込む引き込み部材を有し、
この引き込み部材は弾性体によって前記引出し扉を開く方向と閉じる方向に付勢される状態を取り得るように回転可能に設けられ、前記被引き込み部と係合するための引き込み溝を有し、
前記引き込み部材の上面はカバーで覆われており、前記カバーには前記引出し扉が引き出される方向に延伸した溝部が設けられ、
前記引出し扉が引き出され、あるいは押し込まれると、前記引き込み部材が回転し、
前記引き込み部材が回転したときに、前記引出し扉が引き出された状態、前記引出し扉が閉じられた状態、及び前記引出し扉が引き出されているあるいは閉じられている状態のいずれの状態であっても、前記引き込み溝が前記溝部の下側に位置する構成とした扉閉鎖装置。
【請求項１２】
本体筐体内に設けられた貯蔵室の前面開口部を覆う引出し扉とともに引き出され食品が収納される収納容器、この収納容器を支持する枠体及び前記引出し扉からなる引出し部と、
前記引出し部に設けられた被引き込み部材と、
前記貯蔵室側に設けられ前記被引き込み部材と当接又は離反可能な扉閉鎖手段と、を備え、
前記扉閉鎖手段は、前記貯蔵室の底面に設けられ、前記被引き込み部材と係合して前記引出し部を引き込む引き込み部材を有し、
この引き込み部材は弾性体によって前記引出し部を開く方向と閉じる方向に付勢される状態を取り得るように回転可能に設けられ、前記被引き込み部と係合するための引き込み溝を有し、
前記引き込み部材の上面はカバーで覆われており、前記カバーには前記引出し部が引き出される方向に延伸した溝部が設けられ、
前記引出し部が前記本体筐体から引き出され、あるいは前記本体筐体に押し込まれると、前記引き込み部材が回転し、
前記引き込み部材は、前記引出し部が引き出された状態、前記引出し部が閉じられた状態、及び前記引出し部が引き出されているあるいは閉じられている状態のいずれの状態であっても、前記引き込み溝が前記溝部の下側に位置しながら回転し、
前記引出し部が閉じられる方向に移動し、前記引き込み溝内に引き込み部材が当接すると、前記引き込み部材は前記被引き込み部材を開く方向に反力を与え、
その後、前記引出し部が前記反力に打ち勝ってさらに閉じられる方向に移動すると、前記引き込み部材は前記引き込み溝内に前記被引き込み部材を保持したままで前記被引き込み部材を前記反力と反対の方向へと押しながら前記引出し部を閉じることを特徴とする冷蔵庫の扉の閉鎖方法。
【発明の詳細な説明】
【技術分野】
【０００１】
本発明は、引出し式の開閉扉を備えた冷蔵庫、及び開閉扉を閉鎖するための扉閉鎖装置に関する。
【背景技術】
【０００２】
冷蔵庫の開閉扉を閉じるための構成を備えた従来の例として、特許文献１に開示がある。特許文献１には、開放された回転式のドアを電気駆動によって強制的に閉じるドア閉じ装置を備えた構成が示されている。また、特許文献２には、引出し扉を閉じるための機構が開示されている。
【０００３】
【特許文献１】特開2004-3774号公報
【特許文献２】特開2005-127527号公報（図51〜図55）
【発明の開示】
【発明が解決しようとする課題】
【０００４】
近年では食生活が変化してきており、毎日の食材をこまめに近隣の食品店で購入して調理する食生活から、郊外型の大型スーパーマーケットなどで食品を例えば一週間分まとめて購入し、冷蔵庫に貯蔵することが一般化してきている。また、冷凍食品の利用が増えたことに対応して家庭でも４００リットルを超える容量の大型冷蔵庫が一般的に普及してきている。
【０００５】
ところが、冷蔵庫の大型化に伴って収納される食品の量も増えるので野菜室や冷凍室の扉が重くなり、扉を閉じる際に扉が本体に衝突した際に、大きな衝突音がして不快感を感じるとともに、扉内に収納された食品が扉や食品同士が衝突して表面が傷ついたり圧痕が付いたりして痛むことがある。
【０００６】
特に、引出し式扉によって閉塞される野菜室や冷凍室などの貯蔵室では、引出し扉とともに収納容器が引き出される構造が採られているため、容器内に多数の食品が収納されると重量が重くなり、回転式の扉と比較して食品同士の衝突が生じやすい。
【０００７】
また、冷蔵庫においては扉を閉じる際に閉め方が不十分だったりすると、いわゆる半ドア状態となり、このとき、冷気が外部にもれて冷蔵機能が低減し、保存されている食品の品質の劣化を招く場合がある。さらには冷蔵庫外の外気が冷蔵庫内に侵入して結露し、庫内に水滴が付着する場合もあった。
【０００８】
しかし、特許文献１には引出し式扉を閉鎖するための構成は示されていない。また、特許文献２には、引出し式扉にも扉閉鎖装置を用いた構成が示されているが、収納容器に食品が多数収納された状態、あるいは収納容器の位置ずれについて考慮されておらず、また、扉が開いている状態にも関わらず扉閉鎖装置が引き込み状態にある等のような異常状態について考慮されたものではなかった。
【０００９】
本発明は、上記課題に鑑みてなされたものであり、実際の使用シーンにおける諸問題を解決しながらも、いわゆる半ドア状態を防止できる構成を提供すること、または、扉を勢いよく閉じた際の衝撃を低減することをその目的としている。
【課題を解決するための手段】
【００１０】
上記目的を達成するために、
本体筐体内に設けられた貯蔵室の前面開口部を覆う引出し扉、前記引出し扉とともに引き出され食品が収納される収納容器、及びこの収納容器を支持する枠体からなる引出し部と、
前記引出し部に設けられた被引き込み部材と、
前記貯蔵室側に設けられ前記被引き込み部材と当接又は離反可能な扉閉鎖手段と、を備えた冷蔵庫において、本発明では、
前記扉閉鎖手段は、前記貯蔵室の底面に設けられ、前記被引き込み部材と係合して前記引出し部を引き込む引き込み部材を有し、
この引き込み部材は弾性体によって前記引出し部を開く方向と閉じる方向に付勢される状態を取り得るように回転可能に設けられ、前記被引き込み部と係合するための引き込み溝を有し、
前記引き込み部材の上面はカバーで覆われており、前記カバーには前記引出し部が引き出される方向に延伸した溝部が設けられ、
前記引出し部が前記本体筐体から引き出され、あるいは前記本体筐体に押し込まれると、前記引き込み部材が回転し、
前記引き込み部材が回転したときに、前記引出し部が引き出された状態、前記引出し部が閉じられた状態、及び前記引出し部が引き出されているあるいは閉じられている状態のいずれの状態であっても、前記引き込み溝が前記溝部の下側に位置する構成とした。
【００１１】
または、前記扉閉鎖手段は、前記貯蔵室の底面に設けられ、前記被引き込み部材と係合して前記引出し部を引き込む引き込み部材を有し、
この引き込み部材は弾性体によって前記引出し部を開く方向と閉じる方向に付勢される状態を取り得るように回転可能に設けられ、前記被引き込み部と係合するための引き込み溝を有し、
前記引出し部が前記本体筐体から引き出され、あるいは前記本体筐体に押し込まれると、前記引き込み部材が回転し、
前記引出し部が閉じられる方向に前記引き込み部材が回転したときに減衰力を付与する減衰手段を備え、この減衰手段は前記引き込み部材よりも小さな歯車部材に設けられた構成とした。
【００１２】
そして、前記減衰手段と前記引き込み部材との間には互いに空間を隔てる隔壁を設けた構成とした。
【００１３】
また、上記のいずれかの構成を備えた冷蔵庫において、前記扉閉鎖手段は、前記貯蔵室の奥側であって、幅方向の中央部に配置した。
【００１４】
また、上記のいずれかの構成を備えた冷蔵庫において、前記被引き込み部材は、前記引出し部の底部に設けられた引き込み部材回動中心のまわりに揺動自在に設けられた引き込みピンを備えており、この引き込みピンは前記揺動中心よりも手前側に位置する構成とした。
【００１５】
また、上記のいずれかの構成を備えた冷蔵庫において、前記溝部は手前側の幅を広くしてテーパ形状とした。
【００１６】
また、上記のいずれかの構成を備えた冷蔵庫において、前記引出し扉は、閉状態において前記本体筐体の開口周縁部との間をマグネットによって引き付けられており、前記引き込み部材による前記引出し部の引き込み力は、マグネットによる引き付け力よりも遠い位置から働くものとした。
【００１７】
また、上記のいずれかの構成を備えた冷蔵庫において、前記引き込み部材は、
前記引出し部が開かれた状態である第一の回転位置と、前記引出し部が閉じられた状態である第二の回転位置との他に、前記第二の回転位置よりも前記引き込み溝がさらに奥側に位置する第三の回転位置との状態を取り得るように構成されており、
前記第一の回転位置及び前記第三の回転位置を位置決めする回転ストッパを有し、
前記引き込み部材が前記第三の回転位置から前記第一の回転位置へと戻すための復帰手段を備えた構成とした。
【００１８】
また、復帰手段を備えたものにおいては、前記引き込み部材は回転部材に設けられた引き込み溝よりも手前側に前記復帰手段を備え、
前記復帰手段は、前記第三の回転位置において前記溝部内に位置する揺動アームと、前記揺動アームに復帰力を加える復帰ばねとを備え、
前記引き込み部材が前記第三の回転位置にある状態において、前記引出し部を開状態から閉じる際には、前記被引き込み部材が前記揺動アームに当接して前記引き込み部材を前記揺動アームの一面側から他面側に移動させ、
前記引出し部を引き出すと、前記被引き込み部材が前記引き込み部材を前記第一の回転位置へと導く構成とした。
【００１９】
また、上記のいずれかの構成を備えた冷蔵庫において、複数の貯蔵室を備え、複数の引出し扉によって閉塞される構成とし、前記複数の貯蔵室は異なる温度帯に設定されており、これらの貯蔵室が断熱壁によって区画され、
前記扉閉鎖手段は複数の異なる温度帯に設定される貯蔵室内にそれぞれに設置され、これらの扉閉鎖手段に設けられた減衰手段は、各々の温度帯において略同一の減衰力を生じるように前記減衰手段の粘性油の粘度を設定した。
【００２０】
また、上記目的を達成するために、本発明の扉閉鎖装置は、引出し扉とともに前後に移動する被引き込み部材と当接又は離反可能なものにおいて、
前記扉閉鎖装置は、前記被引き込み部材と係合して前記引出し扉を引き込む引き込み部材を有し、
この引き込み部材は弾性体によって前記引出し扉を開く方向と閉じる方向に付勢される状態を取り得るように回転可能に設けられ、前記被引き込み部と係合するための引き込み溝を有し、
前記引き込み部材の上面はカバーで覆われており、前記カバーには前記引出し扉が引き出される方向に延伸した溝部が設けられ、
前記引出し扉が引き出され、あるいは押し込まれると、前記引き込み部材が回転し、
前記引き込み部材が回転したときに、前記引出し扉が引き出された状態、前記引出し扉が閉じられた状態、及び前記引出し扉が引き出されているあるいは閉じられている状態のいずれの状態であっても、前記引き込み溝が前記溝部の下側に位置する構成とした。
【００２１】
さらに、上記目的を達成するための手段としては、本体筐体内に設けられた貯蔵室の前面開口部を覆う引出し扉とともに引き出され食品が収納される収納容器、この収納容器を支持する枠体及び前記引出し扉からなる引出し部と、
前記引出し部に設けられた被引き込み部材と、
前記貯蔵室側に設けられ前記被引き込み部材と当接又は離反可能な扉閉鎖手段と、を備え、
前記扉閉鎖手段は、前記貯蔵室の底面に設けられ、前記被引き込み部材と係合して前記引出し部を引き込む引き込み部材を有し、
この引き込み部材は弾性体によって前記引出し部を開く方向と閉じる方向に付勢される状態を取り得るように回転可能に設けられ、前記被引き込み部と係合するための引き込み溝を有し、
前記引き込み部材の上面はカバーで覆われており、前記カバーには前記引出し部が引き出される方向に延伸した溝部が設けられ、
前記引出し部が前記本体筐体から引き出され、あるいは前記本体筐体に押し込まれると、前記引き込み部材が回転し、
前記引き込み部材は、前記引出し部が引き出された状態、前記引出し部が閉じられた状態、及び前記引出し部が引き出されているあるいは閉じられている状態のいずれの状態であっても、前記引き込み溝が前記溝部の下側に位置しながら回転し、
前記引出し部が閉じられる方向に移動し、前記引き込み溝内に引き込み部材が当接すると、前記引き込み部材は前記被引き込み部材を開く方向に反力を与え、
その後、前記引出し部が前記反力に打ち勝ってさらに閉じられる方向に移動すると、前記引き込み部材は前記引き込み溝内に前記被引き込み部材を保持したままで前記被引き込み部材を前記反力と反対の方向へと押しながら前記引出し部を閉じることによって、冷蔵室の扉の閉鎖を行うものとした。
【発明の効果】
【００２２】
本発明によれば半ドア状態となることを防止できる構成を提供することができる。または、扉を勢いよく閉じた際の衝撃を低減することができる。
【発明を実施するための最良の形態】
【００２３】
本発明の実施形態について説明する。以下に説明する実施形態は、実用的で信頼性の高い冷蔵庫の扉閉鎖装置を提供する構成を示すものである。
【００２４】
本実施形態では、扉を引き込むための部材として回転部材を用いている。この回転部材は、扉を引き込む位置と扉を開放する位置との間を回転し、または復帰ができる構成であり、これら両位置において、その位置を保持できるようにばね等の弾性部材を用いている。そして、扉の開閉に伴って移動する引き込みピン等の被引き込み部材が回転部材に引き込まれ、または開放されることによって、扉開閉の補助がなされる。
【００２５】
回転部材には、溝部が設けられ、溝部の一端を開口部として被引き込み部材が開口部を介して出入りする構成とし、被引き込み部材が扉の閉状態では回転部材の溝部の回転支点の近傍まで侵入し、扉が筐体に対して所定の押圧力で押圧される。冷蔵庫においては、扉が閉状態となっているときは、扉が筐体側の開口周縁とマグネットによって閉塞されているが、マグネットによる引き込み作用が働く位置よりも回転部材による引き込みが作用する範囲を広くとっている。
【００２６】
使用者によって扉が開かれると被引き込み部材が扉とともに移動して、回転部材が開放位置まで回転して位置を保持し（開放位置にて保持）、扉は回転部材と被引き込み部材（引き込みピン等）との結合は解除される。したがって、使用者は扉を自在に開閉することができる。
【００２７】
さらに、回転部材に噛み合って回転する減衰手段を備えており、扉を閉じる際には扉が筐体に接するより手前で一旦扉を減速して、扉を閉じる際の衝撃を低減することができる。また、扉が所定の位置まで閉じられた際には扉を引き込んで確実に閉鎖するため、いわゆる半ドアを防止することができる。
【００２８】
これらの実施形態によれば、扉が閉じる際にはばね等の弾性部材によって扉を閉じる方向の力が加わり、この弾性力（ばね力）は扉を閉じた後も継続的にかかるように構成されるので、半ドアをさらに防止する効果がある。
【００２９】
さらに、減衰手段として、一方向動作ダンパを用いることによって、扉が閉じる方向に動作した際には、この一方向動作ダンパによる減衰力が加わるので、扉が本体にパッキンが接触する以前に減速して、ゆっくりと閉じる構成となる。したがって、扉が閉じる際の衝撃が少なく、静音化できるとともに、扉内に収容された食品同士が衝突して損傷することがない、という効果がある。
【００３０】
さらには、被引き込み部材である引き込みピンを、扉とともに引き出される収納容器に設けることによって、収納容器内に食品が多数収納された場合には確実に引き込み作用が働くものとすることができる。特に、容器底部の下面側に設けられた被引き込み部材を引き込むための引き込み部材を貯蔵室の底面に設けた構成とした場合にあっては、一つの引き込み部材によって扉の閉鎖を行うことができる。
【００３１】
収納容器は、扉を開閉するためのレール部材を構成する枠体に着脱可能に載置される構成であるため、被引き込み部材と引き込み部材との間の位置ずれが問題となるが、引き込み部材（回転部材）を回動中心のまわりに回動可能に設け、扉閉鎖手段側には被引き込み部材（引き込みピン）を溝部に導く構成をさらに設けたので、引出し扉の開閉の際に引き込みピンの位置が本体に対してずれたとしても、引き込みピンは溝に沿って動作でき、引き込みピンが引き込み部材と確実に結合できるので、扉の閉鎖動作をより確実にすることができる。
【００３２】
以下、これらの本発明の実施形態について、図面を用いながら具体的な構成を説明する。図１は開閉扉を備えた冷蔵庫を示す斜視図であり、図２及び図３は野菜室部分の構成を示した断面図である。
【００３３】
本実施形態の冷蔵庫は、本体筐体１内に複数の貯蔵室を備え、これらの貯蔵室の前面開口部が扉によって閉塞された構成となっている。本体筐体１内の最上段には回転扉によって覆われた冷蔵室２が配置され、冷蔵室２の扉は左右両開きのいわゆる観音開き方式の扉２Ｌ、２Ｒであり、カバーで覆われた回転支点３を中心として開閉する構成である。
【００３４】
冷蔵室２よりも下方に位置する貯蔵室は引出し式の扉によって閉塞されている。本実施形態においては、冷蔵室２の下に野菜室４を有し、さらに下方に製氷室５、上段冷凍室６、下段冷凍室７からなる冷凍室が配置された構成となっている。なお、これらの引出し式の扉によって閉塞される貯蔵室のそれぞれの位置関係は、本実施形態の構成に限られるものではない。
【００３５】
野菜室４は、野菜の貯蔵に適した温度設定がなされており、野菜室扉１４を手前に引けば開放できる。野菜室の下部左側には製氷室５があり、図示しない製氷手段によって製氷が行われて製氷室５内に貯氷される。製氷室５は製氷室１５を手前に引き出すことで開放できる。製氷室５内の氷が取り出されると図示しない氷量検出手段によって氷の量が減ったことが検知され、自動的に製氷が行われて製氷室５内の氷が補充される構成である。
【００３６】
製氷室５の右側は、上段冷凍室６が配設されており、上段冷凍室扉を手前に引き出すことによって開放できる。上段冷凍室６は、急速冷凍ルームとして、後述する下段冷凍室７と機能的な差別化が図られた貯蔵室としてもよい。また、必ずしも冷凍室である必要もなく、例えば機能選択室のように、使用者の選択によって冷凍温度帯、冷蔵温度帯、または氷温に近いチルド室などのいずれかの温度設定を選択できる構成としてもよい。
【００３７】
さらに最下段には下段冷凍室７が配置されている。下段冷凍室７内には冷凍食品などが収容可能なように、製氷室５等よりも大きな収納空間を有している。
【００３８】
野菜室４、製氷室５、上段冷凍室６及び下段冷凍室７の各扉は、手前に略並行に引き出して開放することができる構成であり、扉の引き出しに伴って内部の収納容器が引き出され、使用者が食品を取り出したり補充することができる。
【００３９】
冷蔵室２、野菜室４、製氷室５、冷凍室６、７の各室の扉が筐体と接する周囲全体にわたり、各室内の冷気が外部に漏れることを防止するためのシール部材であるガスケットが張られている。このガスケットは扉側に固定されており、内部に面状のマグネットが内封されたマグネットシールを用いるのが一般的である。扉が閉鎖された際は、マグネットが冷蔵庫本体筐体１を構成する鉄板に吸着されることで本体筐体１に対して全面が均一に接して、シール性を得ている。
【００４０】
なお、図１は野菜室４の引き出し扉である野菜室扉１４を取り出した状態を示したものである。野菜室４の内側の側面には、野菜室扉１４の引出しを案内するためのガイドレール１１と、引出しを支持するためのガイドローラ１３が設けられており、野菜室扉１４を手前に引き出して開放したり、あるいは開放された野菜室扉１４を押し込んで閉じることができる。そして、野菜室４内には、扉閉鎖手段１０が設けられている。本実施形態における扉閉鎖手段１０は、野菜室４の底面４ｂの奥側であって、その幅方向位置は略中央に設けられている。
【００４１】
なお、本実施形態においては、引出し式の扉として野菜室扉１４を例に挙げて説明しているが、特に説明した場合を除き、野菜室扉１４に限られるものではない。以下、野菜室４の扉、ないし冷凍室７の扉を総称して「引出し扉」として説明する。
【００４２】
ここで、図２および図３を用いて扉閉鎖手段１０の取り付けられる位置について説明する。扉閉鎖手段１０は、扉１４の開閉に伴って移動する被引き込み部材である引き込みピン２２を引き込むことによって、扉の閉動作を助ける構造となっている。図２は扉閉鎖手段１０を底面４ｂの入り口から最奥に実装した場合であり、図３は手前側に設けた場合の図である。野菜室４の容器と扉閉鎖手段１０とは、扉開閉の全過程において、開閉動作の阻害となる干渉が生じないよう、収納容器２０の底面を図４に示すように部分的に浅くしたニゲ部２１を設ける必要がある。
【００４３】
ところで、扉閉鎖手段１０を図２に示すように図示右側の奥側に配置した場合にはニゲ部２１の図示左右方向の長さはＬ１だけでよいが、図３に示すように図示左側の装置入口側に配置した場合にはニゲ部２１の長さはＬ２必要となり、Ｌ１＜Ｌ２なので扉閉鎖手段１０を奥側に配置した方がニゲ部が少なくて済み、その結果として容器の容積を大きくできるので好都合である。したがって、扉閉鎖手段１０は貯蔵室の奥行方向で少なくとも奥側に配置し、また、レール部材１１’の後端よりも手前側の位置となるように配設することが望ましい。
【００４４】
また、貯蔵室の幅方向の位置に関しては、貯蔵室のほぼ中央位置としている。扉閉鎖手段１０を貯蔵室のほぼ中央位置に配置することによって、１つの扉閉鎖手段１０によって引出し扉１４を閉じることが補助可能である。
【００４５】
図４は、引出し扉１４の開閉に伴って移動する引出し扉１４、レール部材１１’、及び収納容器２０の斜視図である。引出し扉１４の開閉に伴って移動する、これらの引出し部の引出しの構成について図４を用いて説明する。図４において、容器２０の両側面部には、引出し扉１４に固定されたレール部材１１’が両側に備えられている。このレール部材１１’は容器２０を保持する枠体としても機能している。
【００４６】
引出し扉１４を閉じて、これらの引出し部分を本体筐体１に装着した場合には、ガイドレール１１及びガイドローラ１３がレール部材１１’を支持し、かつ、前後に案内することで引出し扉１４を矢印ＯＰ方向に開くことができる。また、引出し扉１４を閉じる場合には、矢印ＣＬ方向に案内し、閉じることができる。このようにして、引出し扉１４の開閉動作が可能となっている。
【００４７】
引出し扉１４には、例えばゴムなどの柔軟材質からなるガスケット１８が全周にわたって設けられていて、引出し扉１４を閉じた際に、本体筐体１の開口周縁部との間の隙間を塞いで冷気を封止することができる。レール部材１１’には容器２０が装着されており、容器２０の底面には部分的に底を浅くした容器ニゲ部２１が設けられている。
【００４８】
この容器ニゲ部２１には閉動作の際に引出し扉１４等の引出し部を引き込むための引き込みピン２２を備えた被引き込み部１９が設けられている。引出し扉１４とともに容器２０が低速で閉じられる際には、引き込みピン２２に対して矢印ＣＬ方向にスプリング４１（後述）によって生じる力を加え、容器２０が引き込まれるのを補助する。
【００４９】
あるいは引出し部が勢い良く閉じられた際には、反対に減衰手段５２（後述）から生じる減衰力を矢印ＯＰ方向に加えることで制動力を与えて引出し部を減速する。
【００５０】
ここで、引き込みピン２２を含めた被引き込み部１９は、容器２０の底面に備えたので、例えば容器２０の位置がずれたり、容器２０内に保管されている内容物の質量によってたわんだり、あるいはガイドレール１１、レール部材１１’、ガイドローラ１３などの取り付けガタなどによって、本体筐体１と引出し扉１４との間には位置ずれが生じるので、このような位置ずれがあっても通常に動作する構成とすることが必要である。
【００５１】
また、引き込みピン２２に引き込み力ないし制動力を加えるので、引き込みピン２２及び引き込みピン２２の取り付け部分にはそれらの力に耐えられるだけの強度が必要である。
【００５２】
本実施形態においては、引出し扉１４を閉鎖する方向をＣＬ方向、引出し扉１４を開放する方向をＯＰ方向と称するものとし、以下はこの表記にしたがって説明する。
【００５３】
次に、被引き込み部１９の構成について説明する。図５は被引き込み部１９の構成及び動作を示す斜視図であり、図６は同平面図である。これら図５及び図６に示す被引き込み部１９において、引き込みピン２２はピン回転中心２５のまわりに回動自在に支持され（すなわち、ローラのように回転可能となっている）、回転中心２５はピン揺動部材２４に備えられており、ピン揺動中心２３のまわりに所定の角度、すなわち図５に示す角度αだけＣＷ方向ないしＣＣＷ方向に揺動自在に支持されている。ピン揺動部材２４は、ＣＷ方向ないしＣＣＷ方向に揺動変位すると、復帰ばね２６によって揺動範囲の中央に復帰する構成であり、復帰ばね２６はばね支持手段２７によって容器ニゲ部２１に支持されている。
【００５４】
図６に示すように、引き込みピン２２に矢印Ｆ１方向の力が加えられるとピン揺動中心２３のまわりに揺動する。このとき、復帰ばね２６は引き込みピン２２とともに変形して矢印Ｆ２方向の反力を引き込みピン２２に加えるので、Ｆ１方向の力が解除された際には引き込みピン２２はピン揺動中心２３のまわりに揺動して図５の位置に復帰する構成となっている。このとき、引き込みピン２２もピン回転中心２５回りに回転し、復帰がしやすいようになっている。もし力Ｆ１が反対向きに加えられた場合には図６と反対方向に動作する。
【００５５】
図５及び図６に示した被引き込み部１９の構成において、ピン揺動中心２３を引き込みピン２２に対して容器２０の奥側、すなわち図４で示す矢印ＣＬの方向に設けるのがより望ましい構成なのであるが、その点については後述する。
【００５６】
次に、冷蔵庫本体に設けられる扉閉鎖手段１０の構成について説明する。
【００５７】
図７は扉閉鎖手段１０の外観斜視図であり、先に説明した引き込みピン２２近傍の構成も一部示している。扉閉鎖手段１０の上カバー２８には引き込みピン２２を導入するためのガイド溝２９が設けられており、ガイド溝２９の入り口側、すなわち引出し扉１４のある前面側はガイド溝２９の幅を順次テーパ形状に広げた呼び込み部（テーパ形状部）３０を設けている。引出し部を閉じる際には、引き込みピン２２が矢印ＣＬ方向に移動するので、テーパ形状の呼び込み部３０を通ってガイド溝２９に進入できる構成である。
【００５８】
本実施形態の扉閉鎖手段１０は、内部に引出し扉１４の開閉方向（水平方向）内で動作する各機構を備えており、換言すれば、水平方向の面内移動によって扉開閉動作の補助を行うものであり、ここでいう面内移動とは、上カバー２８と底板５１（後述）との間で移動することを示している。
【００５９】
図８を用いてこのことをより詳細に説明する。図８は、扉閉鎖手段１０に被引き込み部１９が引き込まれる場合の動作を示す図である。引出し扉１４を閉じると、引き込みピン２２は矢印３１方向に移動する。このとき、例えば容器２０の位置がずれたり、容器２０内に保管されている内容物の質量によってたわんだり、あるいはガイドレール１１やガイドローラ１３の取り付けガタなどによって位置ずれが生ずる場合がある。
【００６０】
左右の位置ずれが生じた場合の引き込み動作について図８を用いて説明する。なお、この図８においては、引き込みピン２２、ピン揺動中心２３、及びピン揺動部材２４の各符号２２〜２４にＡを付した状態が、位置ずれ状態を示すものであり、各符号２２〜２４にＢを付した状態は、位置ずれ時における引き込みピン２２、ピン揺動中心２３、及びピン揺動部材２４の各部材がガイド溝２９内へと案内される状態を示している。
【００６１】
然して、引き込みピン２２がガイド溝２９の中心位置３２よりもδだけ位置ずれの生じた移動位置３３に沿って移動しながら扉閉鎖手段１０に近接したとすると（符号２２Ａ〜２４Ａとして図示）、引き込みピン２２は扉閉鎖手段１０の設けられた傾斜面である呼び込み部３０に当接して矢印３４方向に移動する（符号２２Ｂ〜２４Ｂとして図示）。
【００６２】
このとき、ピン揺動部材２４はピン揺動中心２３に沿って揺動するので位置ずれδがあったとしても引き込みピン２２はガイド溝２９の中心位置３２に沿って移動できるので位置ずれδの影響を受けないので好適である。さらに、引き込みピン２２はガイド溝２９に沿って移動するので、引き込みピン２２は回動可能なローラとすれば、ガイド溝２９に沿って移動する際の抵抗が減少するので好都合である。
【００６３】
また、容器２０がたわみ、引き込みピン２２が上下方向に位置が変化しても、この変化分を吸収可能としている。具体的には、引き込みピン２２周囲の容器２０底面（引き込み部１９周囲の底面部）が上カバー２８と当接しても、引き込みピン２２の最下端が扉閉鎖手段１０の底板５１（後述）と接触しないような寸法関係としている。したがって、引き込みピン２２が扉１４とともに前後に移動しても、移動を阻害するような干渉が生ずることはなく、また、引き込みピン２２の破損も防止することができる。
【００６４】
次に、本実施形態の扉閉鎖手段１０の構成について図９から図１０により説明する。図９は扉閉鎖手段１０の上カバー２８を取り外した状態を示した斜視図であり、斜視の方向は図７と同じである。
【００６５】
扉閉鎖手段１０の下ケース３５には回転支点３６のまわりに回動自在な回転部材（回転アーム）３７が、回転押え板３８と下ケース３５との間で回転自在に軸支されている。回転アーム３７は、回転アーム３７の一部が回転ストッパ３９Ａおよび３９Ｂに当接することで回転範囲が規制されている。５１は扉閉鎖手段１０の底板である。この回転アーム３７は引き込み溝４０部分を除いて平板状の形状となっており、貯蔵空間の犠牲を最小限なものとしている。
【００６６】
回転アーム３７の一部には、被引き込み部材である引き込みピン２２を引き込むための受部として、引き込み溝４０が設けられている。引き込みピン２０が図８にて説明したと同様に中心位置３２に沿って移動する際に、引き込み溝４０に嵌合あるいは係合することで、引き込みピン２０に対して引き込み力を付与して引き出しを閉じることができる。また、引出し扉１４を開いた場合には、引き込みピン２０が引き込み溝４０から離反することができる構成となっている。
【００６７】
スプリング４１は、一端を固定部に、他端を回転部に、それぞれ取り付けられる。具体的には、スプリング４１は下ケース３５の一部に設けられたスプリング座４２と回転アーム３７の一部に設けられたスプリング座４３との間に張架されており、回転アーム３７に回転力を付与している。
【００６８】
図９に示した状態ではスプリング４１による引張力は回転アーム３７に図示ＣＣＷ方向の回転力を付与しており、回転アーム３７の一部が回転ストッパ３９Ａに当接して、図示ＣＣＷ方向に一杯に回転して静止した状態を示している。この状態は、図７に示す状態と同等であって、引出し扉１４が開かれており、引き込みピン２２は扉閉鎖手段から離反している状態を示している。
【００６９】
上記のような扉閉鎖手段１０を備えた場合において、引出し扉１４が開状態であるにもかかわらず、何らかの原因によって扉閉鎖手段１０の回転アーム３７が閉状態となる場合が想定し得る。そこで、本実施形態においては、復帰機構４７を備えることとした。図９に符号４４〜４６で示す各部材が復帰機構４７を構成する部材であり、符号４４は復帰リブ、４５は復帰ゲート、４６は復帰ばねである。これらの各部材４４〜４６の詳細は後述するが、回転アーム３７が引き込みピン２２と嵌合することなくＣＷ方向に回転して引き込んだ状態になったときに、引出し扉１４を一旦閉じ、さらに開くことによって回転アーム３７を図９に示したＣＣＷ方向に一杯に開いた状態に復帰させる復帰手段となっている。
【００７０】
図１０は扉閉鎖手段１０を矢印４８方向からみた図であり、回転アーム３７は底板５１の奥側に位置するので破線により図示している。なお、図８〜図１０において符号Ａとして示したのは同一の面を示している。
【００７１】
回転支点３６のまわりに第一の歯車（大歯車）４９が回転アーム３７と一体となって回転するよう支持されており、第二の歯車（小歯車）５０は大歯車４９とかみあっており、本実施形態では第二の歯車（小歯車）５０は回転アーム３７よりも高速で回転する構成である。小さい側の第二の歯車５０には減衰手段５２が連結されており、小歯車５０と一体となって回転して回転減衰力、すなわち摩擦負荷トルクまたは粘性負荷トルクを発生する。
【００７２】
引き込みピン２２が矢印ＣＬ方向に移動して回転アーム３７が矢印６３方向に回転すると小歯車５０は矢印６４方向に回転し、減衰手段５２は、例えば内蔵された粘性オイルによる粘性力により抵抗力を生じる。逆に引き込みピン２２が矢印ＯＰ方向に移動すると回転アーム３７は矢印５５方向に回転して減衰手段５２に設けられた小歯車５０は矢印５６方向に回転するが、このときは減衰手段５２に内蔵された図示しない一方向クラッチが空転して抵抗力を生じない構成となっている。
【００７３】
図１１は、引出し扉１４が閉じられて、引き込みピン２２がガイド溝２９に沿って進入した状態における、引き込みピン２２が回転アーム３７の引き込み溝４０に嵌合（又は係合）した状態を示している。スプリング４１は矢印５３方向にばね力を生じさせ、回転アーム３７に図示ＣＷ方向の回転モーメントを生じるので、引き込み溝４０を介して引き込みピン２２に矢印５４方向の力を加える。引き込みピン２２はピン揺動中心２３を介して容器２０に取り付けられているので、容器２０とともに引出し扉１４を含む引出し部の全体に矢印５４方向の力を加えるので、引出し扉１４を閉じる力を与える。
【００７４】
図１２は、冷蔵庫の野菜室４の底面４Ｂ奥側の断面図であり、扉閉鎖手段１０と容器と引き込みピン２２の位置関係を示している。これらの扉閉鎖手段１０、容器２０、及び引き込みピン２２近傍の断面図を用いて、扉閉鎖手段１０の野菜室底面４Ｂへの実装の状態について説明する。
【００７５】
容器２０底面にはピン揺動中心２３を支持するボス５７が設けられており、ボス５７の周囲にはボスの強度を向上するためのリブ５８を設けている。先に説明したように、引き込みピン２２には引出しに対する引き込み力ないし制動力が加わるので、引き込みピン２２を備えたピン揺動中心２３を支持するボス５７の強度を向上することは容器の破損や変形を防止するために有効である。
【００７６】
扉閉鎖手段１０は底面４Ｂに半ば埋め込んで実装されており、野菜室４内の冷気は底板５１を隔壁として遮られて減衰手段５２および大歯車４９と小歯車５０との噛み合い部には入り込まないようになっている。したがって、歯車の噛み合い部が凍結したり減衰手段５２が低温の冷気にさらされて冷却されることによって生じる、例えば減衰手段５２が低温によって動作が重くなるなどの不具合を抑制することができる。
【００７７】
ここで、さらに減衰手段５２の周囲を断熱材６１で覆う構成とすれば、減衰手段５２が低温の貯蔵室の影響によって減衰トルクが大きく変動するなどの変化を低減することができるので好適である。
【００７８】
野菜室４と野菜室の下部にある例えば冷凍室７との間には、野菜室４と冷凍室７との間の温度差を維持するために厚さＴ１だけの断熱材が設けられている。図１２に示すように野菜室底面４Ｂに半ば埋め込んで扉閉鎖装置１０を実装した場合には、扉閉鎖装置１０の最下面から厚さＴ２だけの断熱材を備えなければならないので、冷凍室７の天井面６２が図示破線のような形態となるので、冷凍室７の容積が減少してしまう。しかし、野菜室底面４Ｂの断熱材として真空断熱材５９を用いれば、扉閉鎖装置１０の最下面から冷凍室７の天井面６２までの厚さＴ３を薄くすることができるので、冷凍室７の内部容積を低減させることなく扉閉鎖手段１０を搭載できるので好適である。すなわち、扉閉鎖手段１０の下側の投影面内には必ず真空断熱材が位置する構成とすれば、貯蔵空間の減少を招くことなく扉閉鎖手段１０を配設することが可能となる。
【００７９】
このとき、扉閉鎖手段１０と真空断熱材５９との間の隙間が小さくなり、ウレタン等の発泡断熱材が流動する空間が狭くなってしまうことが考えられるが、本実施形態の扉閉鎖手段１０は、図１に示したように、幅方向の略中央に位置させ、扉閉鎖手段１０の左右両側からウレタンが回り込んで流動することを可能としている。なお、扉閉鎖手段１０が設けられる仕切断熱壁は、本体筐体１の断熱材と別部材としてもよく、例えば、スチロフォームの成形体内に真空断熱材を埋設した仕切断熱材を箱体形成後に取り付けるものとしてもよい。
【００８０】
本実施形態では、野菜室４の引出し扉１４の扉閉鎖手段１０を例として説明しているが、野菜室４と冷凍室（製氷室５、上段冷凍室６、下段冷凍室７）との位置関係を逆転し、本体筐体１の最下部に野菜室４を配置すると、下側の冷凍室からの低温の影響を受けることはなく、扉閉鎖手段１０の低温による不具合を低減することができる。
【００８１】
また、野菜室４と同様に引出し扉によって開口前面が覆われる冷凍室７にも適用可能である。冷凍室７内は、野菜室４と比較して室内温度が低く設定されているため、上記のような低温に起因する不具合が生じやすくなる。したがって、上記のように断熱材６１や真空断熱材５９を用いることが有効となる。
【００８２】
なお、減衰手段５２に、粘性オイルによる粘性力を利用したものにあっては、温度によって粘性力が変化するものがある。貯蔵室の設定温度を考慮した粘性オイルを用いることが望ましい。この場合、低温となると粘性力が大きく作用することが考えられるため、各設定温度で同程度の減衰力を付与する構成とすればよい。したがって、室温環境下においては、野菜室側に設置した扉閉鎖手段の粘性を、冷凍室扉側の扉閉鎖手段の粘性よりも高く設定しておくことが有効である。なお、野菜室４と冷凍室７の両方に扉閉鎖手段１０を備えた構成については後述する。
【００８３】
次に、引き込みピン２２とピン揺動中心２３との位置関係について説明する。図４から図１２に示した例においては、引出し扉１４側（つまり前面側）に対して、ピン揺動中心２３は引き込みピン２２よりも奥側にあって支点となっている構成である。このような構成がより望ましい理由について説明する。
【００８４】
前述したように、引き込みピン２２には図４に示した矢印ＣＬ方向の引き込み力ないし矢印ＯＰ方向の制動力が加えられる。ここで、ＣＬ方向の引き込み力とＯＰ方向の制動力との大小関係を比較すると、下記のごとくなる。
【００８５】
まず、ＣＬ方向の引き込み力が生じている場合であるが、このときに引き込みピン２２に加わる力はスプリング４１により生じる力であり、この力は、例えばたかだか２ｋｇｆ程度以下の力である。
【００８６】
一方、ＯＰ方向の制動力が生じている場合というのは、引出し扉１４を勢い良く閉じた場合が考えられ、このときに減衰手段５２によって生じる制動力は、例えば減衰手段５２が粘性抵抗を生じる粘性ダンパであるとすれば、概ね速度に比例した力となる。したがって、使用者が勢い良く引出し扉１４を閉じた際には、ＣＬ方向の引き込み力よりもはるかに大なる力が発生しうる。この力は例えば５ｋｇｆ程度である。
【００８７】
ところで、引き込みピン２２に制動力ないし引き込み力が加わったときのピン揺動中心２３まわりの引き込みピン２２の動作は、引き込みピン２２にピン揺動中心２３に近づく方向の力が加わった際には引き込みピン２２はピン揺動中心２３のまわりに回転して横方向に逃げようとし、逆にピン揺動中心２３から離れる方向の力が加わった際には引き込みピン２２はピン揺動中心２３に対して真っ直ぐに遠ざかる方向に移動するので位置が安定する。
【００８８】
したがって、先に説明したようにＯＰ方向の制動力がＣＬ方向の引き込み力よりも大なので、ＯＰ方向の制動力が引き込みピン２２に加わる際に、その制動力がピン揺動中心２３から離れる方向に引き込みピン２２に加えられるように構成するほうが望ましい。このような構成とするには、引き込みピン２２に対してピン揺動中心２３を引き出しの奥側に設ける構成とするのが望ましい。このような構成とすると、ＣＬ方向の引き込み力が加わった場合には引き込みピン２２は横方向に逃げようとするが、引き込みピン２２は側面が扉閉鎖手段１０に設けられたガイド溝２９に当接してガイド溝２９に沿ってのみ移動可能な状態となるので、動作が不安定になったり外れたりする恐れはないので好適である。
【００８９】
図１３〜図１５を用いて扉閉鎖手段１０により引き込みピン２２を引き込んで引き出しを閉じる動作、および引き出し扉を開く際の扉閉鎖手段１０の動作について説明する。
【００９０】
図１３は引き出し扉が一杯に閉じた状態（引き込み完了状態：第二の回転位置）を示しており、引き込みピン２２はガイド溝２９に沿って矢印ＣＬ方向に一杯に引き込まれている。このとき、スプリング４１はスプリング座４２と４３の間に張架されているので、回転部材３７に設けられたスプリング座４３を引っ張り、回転部材３７を回転支点３６のまわりに図示ＣＷ方向に回転させる。
【００９１】
引き込み溝４０は回転部材３７と一体となって形成されており、引き込みピン２２と引き込み溝４０の一部４０Ａ点で接し、力ＦＣＬを与え、引き出し扉に対して矢印ＣＬ方向の力を付加するので、引出し扉を閉じることができる。この４０Ａ点は、引き込みピン２２を引き込むためにピン２２と当接するため、図１３の引き込み完了位置にあっては、引き込みピン２２よりも扉１４側（すなわち前側）に位置する。
【００９２】
図１４は、図１３に示した引き込み完了状態から使用者が引出し扉１４を引っ張って開き始めた状態を示している。引出し扉１４が開かれると引込みピン２２は引出し扉とともに開かれるので矢印ＯＰ方向にガイド溝２９に沿って移動し、回転部材３７は回転支点３６のまわりに図示ＣＣＷ方向に回転する。扉１４が閉じられた状態や引き出し途中の状態では、引き込みピン２２には扉を閉じる方向にＦＣＬ方向の力が加わっているので、引出し扉１４を開くにはＦＣＬを上回る力が必要となる。
【００９３】
つまり、図１３に示された状態から引出し扉１４を開くには、その引出し力Ｆｂｒを力ＦＣＬより大きな力が必要であり、同時に、引出し扉１４の外周に設けられたガスケット１８と本体筐体１の周縁部とのマグネットによる引き付け力をも上回る力である必要がある。しかし、引き込み部材である回転部材３７によって生ずる引き込み力ＦＣＬは、スプリング４１が回転支点３６を跨ぐことによって引出し扉１４を開く方向に転換するため、このときは扉１４を開く力が小さくても扉１４を開くことができる。
【００９４】
また、回転部材３７による引出し部の引き込み力は、マグネットによる引き付け力よりも遠い位置から働くものとしたため、扉１４を閉じる際には従来の閉動作よりも弱い力で行うことができ、半ドア状態となることを抑制することができる。
【００９５】
引出し扉１４が開かれた状態（引き込み待機状態：第一の回転位置）を図１５に示している。引出し扉１４が開かれた状態においては、回転部材３７は図１５の状態で保持されており、引出し扉１４が閉鎖されるまでこの状態を維持している。このとき、回転部材３７は回転ストッパ３９Ａによって過剰な回転が規制されている。
【００９６】
図１５において、図１４の状態から引き込みピン２２が矢印ＯＰ方向にさらに移動すると回転部材３７はさらにＣＣＷ方向に回転し、引き込みピン２２が図示２２Ｃの位置まで移動すると回転部材３７は図１５に示した板まで回転する。このとき、スプリング座４２と４３を結んだスプリング４１の中心線が回転支点３６よりも図示下側（すなわち、前方側）に位置するように各位置関係を設定すれば、図１５に示した位置においてスプリング４１による引っ張り力は回転部材３７を図示ＣＣＷ方向に回転する方向の回転力となるので、回転板３７は引き込みピン２２との接触の有無に関わらず、一部が回転ストッパ３９Ｂに接するまで回転して静止する。この状態が前述の引き込み待機状態となる。
【００９７】
さらに引出し扉１４が開かれると引き込みピン２２はＯＰ方向に移動してガイド溝２９から離反して、扉が開かれる。容器２０等の位置ずれが生じている場合であっても、図８に示したと同じようにδだけ位置ずれを生じて２２Ａの位置に移動しつつもさらにＯＰ方向に移動して引出し扉１４が開かれる。
【００９８】
引出し扉１４が閉じられる際の動作は、上記と逆の動作となる。図１５に示す引き込み待機状態において引出し扉１４が閉じられると引き込みピン２２は矢印ＣＬの方向に進行して回転部材３７に設けられた引き込み溝４０の奥側の面４０Ｂに当接し、回転部材３７を矢印ＣＷ方向に回転させる。回転部材３７がＣＷ方向に回転してスプリング座４２と４３とを結ぶスプリング４１の中心線が回転支点３６よりも図示上側（すなわち、後方側）に移動すると、スプリング４１による引張力により回転部材３７をＣＷ方向に回転させる回転力を生じるので、図１４に示すように引き込み溝４０は引き込みピン２２に対して矢印ＣＬ方向の力ＦＣＬを加える。したがって、引出し扉１４を閉鎖する方向の力を加えて引出し扉１４をさらに閉鎖する。
【００９９】
そして、引出し扉１４が閉じられて図１３に示す状態に至り、図４に図示したガスケット１８が冷蔵庫の筐体１に当接して、引出し扉１４は完全に閉鎖される。この状態において、矢印ＣＬ方向の力ＦＣＬが引き込みピン２２に加えられたままの状態となる。
【０１００】
引出し扉１４を通常開閉する場合には、上記のように、回転部材３７が引き込み完了状態（図１３の状態）と引き込み待機状態（図１５の状態）との間を往復する動作となる。すなわち、引出し扉１４の開閉にあたって、回転部材３７が回転したときには、（１）引出し扉１４が完全に引き出された状態、（２）引出し扉１４が完全に閉じられた状態、及び（３）引出し扉１４が引き出されている途中あるいは閉じられている途中の状態、のいずれの状態であっても、引き込み溝４０はガイド溝２９の下側に位置する構成となっている。
【０１０１】
このときの減衰手段５２の動作について、説明する。図１０にて説明したように、減衰手段５２は、いわゆるワンウェイダンパであり、引き込みピン２２がＣＬ方向に移動する際には粘性などの減衰トルクを発生し、逆にＯＰ方向に移動する際には空転して減衰トルクを生じない構成としている。引出し扉１４が閉じられて引き込みピン２２が矢印ＣＬ方向に移動する際には、引出し扉１４が高速に閉じられると減衰手段５２により生じた減衰トルクにより引き込みピン２２には動作方向と逆の矢印ＯＰ方向の力が作用し、引き込みピン２２にブレーキをかける。したがって、引出し扉１４は減速され、静粛に閉じられる。
【０１０２】
このように、扉閉鎖手段１０を備えることによって、引出し扉１４を閉鎖する力を付与して扉１４を引き込むので、確実に引出し扉１４を閉じることができ、いわゆる半ドアを防止することができる。また、引出し扉１４が高速に閉じられた際には減衰手段５２によって減速されるので、ガスケット１８が本体筐体１に衝突した際の衝撃を緩和して衝撃音を低下させることができる。また、収納された内容物が容器２０内側やあるいは互いに衝突して傷ついたりすることを抑制できる。
【０１０３】
次に、図１６〜図１９を用いて引出し扉１４が開かれたままで、何らかの原因で回転アーム３７が矢印ＣＷ方向に回転して矢印ＣＷ方向に一杯に回転した状態（異常引き込み状態：第三の回転位置）から図１５に示した引き込み待機状態に移動する構成と動作について説明する。図１６に示した異常引き込み状態は、引き込み完了状態（図１３）よりもさらに矢印ＣＷ方向に回転した位置となるように回転ストッパ３９Ｂが設けられている。このような異常引き込み状態になると、回転アーム３７はスプリング４１によって引き込まれた状態の位置にあるので、このままの状態では引出し扉１４を引き込んで閉鎖することができない状態である。
【０１０４】
図１５に示した引き込み待機状態で、例えば内容物がひっかかるなどの理由で回転アーム３７に矢印ＣＷ方向の回転力が加えられて回転し、スプリング４１による引っ張り力が回転支点３６よりも図示上側に移動すると回転アーム３７はスプリング４１によってＣＷ方向への回転を継続して回転アーム３７の一部は回転ストッパ３９Ｂに当接して、図１６の異常引き込み状態に至って停止している。引出し扉１４はこのとき開いた状態にあるので引込みピン２２は、扉閉鎖手段１０から離反した位置にある。
【０１０５】
復帰ゲート４５は復帰ゲート支点６６のまわりに揺動自在に軸支されており、破線４５Ａに示した位置から矢印６５の方向に回動して実線で示した４５Ｂの位置まで回動することができる。４５Ａの位置にある復帰ゲート４５は、復帰ゲート６５の先端の軌跡を示す矢印６５の方向に回動すると復帰ゲート４５の一部が復帰ばね４６に当接する構成なので、復帰ばね４６が４６Ａの位置から４６Ｂの位置までたわみ、その際に矢印６７方向の力を復帰ゲート４５に対して与えるので、復帰ゲート４５は４５Ｂの位置から４５Ａの位置まで復帰することができる。
【０１０６】
すなわち、復帰ゲート４５は、回転部材３７が回転ストッパ３９Ｂに当接した状態においては、ガイド溝２９によって上方が開口している位置に存在している。このとき、復帰ゲート４５は支点６６の回りに奥側に揺動可能になっており、復帰ゲート４５が回動して４５Ｂの位置まで移動すると、引き込みピン２２が通過可能なスペースを確保することができる。換言すれば、回転部材３７が奥側に過剰に回転することを規制する回転ストッパ３９Ｂと当接した状態において、引き込みピン２２が通過可能となるように回動するゲート４５が備えられた構成としている。
【０１０７】
図１６に示した異常引き込み状態において、引出し扉１４が閉じられる際の動作を説明すると、引出し扉１４の動作とともに引き込みピン２２が矢印ＣＬ方向に移動して、復帰ゲート４５と当接する２２Ｄの位置から、さらにＣＬ方向に移動する。そして、引き込みピン２２が復帰ゲート４５に当接した後は、復帰ばね４６をたわませながら矢印６５方向に回動させ、復帰ゲート４５が４５Ａの位置から後方に移動する。
【０１０８】
引き込みピン２２は、引出し扉１４とともにさらに矢印ＣＬ方向に移動し、２２Ｅの位置にまで移動すると、引き込みピン２２は復帰ゲート４５先端の軌跡である矢印６５よりも図示上側（後方側）に移動するので、復帰ゲート４５は復帰ばね４６の反力によって４５Ａの位置に移動する。引出し扉１４がさらに閉じられると、引き込みピン２２はＣＬ方向に一杯に移動して２２Ｆの位置にいたる。
【０１０９】
図１６に示した上記の動作においては、回動アーム３７はＣＷ方向に一杯に回動した異常引き込み状態で停止したままであり、引出し扉１４が閉じられるまでの動作において回動しないので、スプリング４１による引き込み力も、減衰手段５２による減衰力も引き込みピン２２には作用しないまま引出し扉１４は閉鎖される。
【０１１０】
次に、図１７から図１８により、図１６に図示した状態から引出し扉１４を開く際の動作について説明する。図１７においては引出し扉１４が矢印ＯＰ方向に開かれると、引き込みピン２２がともに矢印ＯＰ方向に移動して２２Ｇの位置に移動する。さらに引出し扉１４を開くと２２Ｈの位置に至り（図１８）、引き込みピン２２が図１８に示すごとく復帰ゲート４５に図示上側（後方側）から当接して回転アーム３７を図示ＣＣＷ方向に回転させる。
【０１１１】
さらに引出し扉１４を開くと、引き込みピン２２はさらに矢印ＯＰ方向に移動して図１９の位置に至り、２２Ｊの位置にある引き込みピン２２は回転アーム３７の一部である復帰リブ４４に図示上側から当接し、回転アーム３７をさらに図示ＣＣＷ方向に回転させる。
【０１１２】
スプリング座４２および４３とを結んだスプリング４１の中心線が回転支点３６よりも図示下側（前方側）に移動すると、スプリング４１により生じる引っ張り力は回転アーム３７を図示ＣＣＷ方向に回転させるモーメントとなるので回転アーム３７は引き込みピン２２との当接にかかわらず回転アーム３７の一部が回転ストッパ３９Ａに当接するまで一杯にＣＣＷ方向に回転して停止する。その結果として図１５に示した状態に至る。
【０１１３】
すなわち、本実施形態の復帰リブ４４は、回転部材３７とともに回転する構成となっているとともに、引き込みピン２２との当接が解除されるまで回転部材３７が回転した位置においては、スプリング座４２と４３とを結んだ線が回転支点３６よりも前方側に位置するように構成されている。
【０１１４】
引出し扉１４を再び閉止する際には、引き込みピン２２が回転アーム３７の引き込み溝４０に嵌合（または係合）した状態となって回転アーム３７の回転にともなって引き込みピン２２に対して閉じ力ＦＣＬとともに減衰手段５２による減衰力を加えることができるので、扉閉鎖手段が引き出し扉の閉鎖動作（ばねによる引き込みと減衰手段による減速）を繰り返して行うことができる状態に復帰できる。
【０１１５】
このように、引出し扉１４が開いたままの状態で、誤って回転アーム３７が引き込まれて引出し扉１４を引き込む動作ができなくなった場合であっても、一旦引出し扉１４を閉じてから次に引出し扉１４を開くことによって回転アーム３７が引き込みピン２２を引き込み可能な状態に復帰することができる。すなわち、本実施形態においては、異常引き込み状態から引き込み待機状態にまで回転アームを復帰できる回転アーム復帰手段を設けている。
【０１１６】
次に、図２０を用いて、扉閉鎖手段１０を、例えば野菜室４と冷凍室７の双方に設ける場合について説明する。野菜室４は保存される野菜が凍結しないように温度をたとえば０℃から５℃乃至８℃の間に設定される。一方、冷凍室７では−１８℃以下となるように設定される。野菜室４と冷凍室７の双方に扉閉鎖手段１０が設けられると、それぞれの扉閉鎖手段１０の周囲温度は、野菜室に実装された扉閉鎖手段１０は０℃から５℃乃至８℃であり、冷凍室７に実装された扉閉鎖手段１０は−１８℃以下になる。
【０１１７】
このように扉閉鎖手段１０の周囲温度が異なるので、減衰手段５２が同一のものとすれば引出し扉１４を閉鎖する際に各々の扉閉鎖手段１０に設けられた減衰手段５２の発生する制動力が異なってしまう。
【０１１８】
すなわち、減衰手段５２として、例えば内蔵されたシリコンオイルなどの粘性油の粘性抵抗によって制動力を発生するように構成される例を想定すると、周囲温度が異なることによって、その粘性が変化してしまう。特に、冷凍室のような低温環境下においては、シリコンオイルの粘性は大きくなるので、発生する制動力が大きくなりすぎて引出し扉を閉じる際に急激に減速しすぎる、という問題が生じる。
【０１１９】
そこで、野菜室４に設ける扉閉鎖手段１０に設ける減衰手段５２が温度０℃から５℃（あるいは８℃）で生じる減衰力と、冷凍室７に設ける扉閉鎖手段１０に設ける減衰手段５２が冷凍温度環境下（例えば−１８℃）において生じる減衰力とが互いに略等しくなるように設定すること（つまり、粘性油の粘性が同一温度では相異なるように設定すること）が効果的である。
【０１２０】
このように設定すれば、例えば室温においては野菜室に備える減衰手段５２の方が冷凍室７に備える減衰手段５２よりも粘性が大さくて制動力が大きい、ということになるが、野菜室および冷凍室が、それぞれの設置温度においては略同一の減衰力を生じるので、使用者の実使用状態からみて同等の制動がかかるので好適である。
【０１２１】
次に、図２１を用いて引き込みピン２２と容器２０の間の寸法関係について説明する。野菜室４の容器２０は野菜くずが付着するので、定期的に取り外して清掃する使用者が多い。そこで、容器を取り外して床に置いた場合には、引き込みピン２２は容器２０の底面よりも出張り寸法６９だけ突出していると、安定を欠くだけではなく、次のような問題がある。
【０１２２】
すなわち、寸法６９が大きければ、扉閉鎖手段１０の回転アーム３７の溝４０と噛み合いやすくなるが、容器を清掃のために床面６８に置いた際には引き込みピン２２の先端が床面に当接するために、引き込みピン２２が破損してしまう場合がある。この点からは、引き込みピン２２の容器底面からの出張り量は小さい方が望ましく、一例としては３ｍｍ以下とすることが望ましい。この３ｍｍとは、引き込みピン２２を備えている容器ニゲ部２１が容器の重さによる撓み量を考慮したものである。
【０１２３】
このように設定すれば、引き込みピン２２が出張っていたとしても、容器を樹脂等の可撓性の材料で構成して容器ニゲ２１が２１’のように３ｍｍ程度たわみ得る構成とすれば、容器２０の底面が床面６８に接触するので、容器ニゲ部２１は突出寸法６９以上に撓むことはなく、引き込みピン２２が破損したり曲がったりすることを防止できる。さらに、引き込みピンの強度を向上するために、図１２にて説明したように、引き込みピン２２を取り付けるピン揺動中心近傍をリブ５７で補強することが有効である。
【０１２４】
図２２により、引出し扉を閉鎖する際の力と容器２０の位置ずれ防止手段について説明する。引出し扉１４をＣＬ方向に勢い良く閉じた場合、引き込みピン２２には扉閉鎖手段１０に備えられた減衰手段５２によって制動力７１を受ける。このとき、容器２０の内容物が軽量の場合、あるいは殆ど空の場合には、制動力７１によって容器２０が２０’のように浮き上がる力を受けることになる。このとき、容器２０が浮き上がるのを防止するために、容器２０とレール部材１１’とを係合する係合部を備えることが望ましい。例えば、容器２０とレール部材１１’との間に引っ掛け部７０を設けて違いに噛み込ませ、浮き上がりを防止する構成とすることが効果的である。
【０１２５】
上記の実施形態によれば、引出し扉１４に設けられた引き込みピン２２と嵌合（あるいは係合）または離反可能な溝４０を設けた回転アーム３７に、スプリング４１による引き込み力と減衰手段５２による制動力とを付加するように構成したので、引出し扉１４を引き込んで半ドアを確実に防止できるとともに、引出し扉１４を勢い良く閉鎖しようとしたときに制動力をかけて減速して、引出し扉１４をスムーズに閉鎖することができる。
【０１２６】
また、引き込みピン２２を揺動可能に軸支し、扉閉鎖手段１０にはガイド溝２９とガイド溝２９への呼び込み部３０とを設けたので、引き込みピン２２を設けた引出し扉１４の容器２０に位置ずれを生じたとしても、引き込みピン２２は呼び込み部３０によって呼び込まれて確実にガイド溝２９に進入して回動アーム３７の溝に嵌合することができる。したがって、容器２０に被引き込み部１９を設けた場合であっても位置ずれの影響を受けずに扉を閉じることができる。
【０１２７】
さらに、引出し扉１４を開いた状態で扉閉鎖手段１０の回転アーム３７が誤って引き込まれた場合でも、復帰ゲート４５と復帰ばね４６と復帰リブ４４とを備えた回転アーム３７の復帰手段４７を設けたので、引出し扉１４を一旦閉じれば、次に引出し扉１４を開いた際に回転アーム３７は引き込みピン２２によって回転して引き込み待機の状態となる。したがって、再び引出し扉１４を閉鎖する際には引き込みおよび制動動作を行うことができる。
【０１２８】
また、さらに本実施形態によれば、扉閉鎖手段１０を野菜室４および冷凍室７のごとく、内部の温度が異なる貯蔵室内に設ける際には、それぞれの設置温度においては略同一の減衰力を生じるような減衰手段５２としたことで、冷蔵庫の使用時には扉の閉鎖時に野菜室４と冷凍室７とにほぼ同等の制動がかかるので操作感の相違が少なく好適である。
【図面の簡単な説明】
【０１２９】
【図１】開閉扉を備えた冷蔵庫を示す斜視図。
【図２】野菜室部分の構成を示した断面図。
【図３】野菜室部分の構成を示した断面図。
【図４】引き出し部分の斜視図。
【図５】被引き込み部の構成及び動作を示す斜視図。
【図６】被引き込み部の構成及び動作を示す平面図。
【図７】扉閉鎖手段の外観斜視図。
【図８】被引き込み部が引き込まれる場合の動作を示す図。
【図９】扉閉鎖手段の上カバーを取り外した状態を示した斜視図。
【図１０】扉閉鎖手段を下方からみた図。
【図１１】引き込みピンが引き込み溝に嵌合又は係合した状態を示す図。
【図１２】野菜室の底面奥側の断面図。
【図１３】扉閉鎖手段の開閉動作を示す図。
【図１４】扉閉鎖手段の開閉動作を示す図。
【図１５】扉閉鎖手段の開閉動作を示す図。
【図１６】異常引き込み状態からの復帰動作を示す図。
【図１７】異常引き込み状態からの復帰動作を示す図。
【図１８】異常引き込み状態からの復帰動作を示す図。
【図１９】異常引き込み状態からの復帰動作を示す図。
【図２０】扉閉鎖手段を野菜室と冷凍室に設けた例を示す図。
【図２１】引き込みピンと容器の寸法関係を示す図。
【図２２】扉の閉動作における問題を説明する図。
【符号の説明】
【０１３０】
１…本体筐体、２…冷蔵室、３…回転支点、４…野菜室、４Ｂ…野菜室底面、５…製氷室、６…上段冷凍室、７…下段冷凍室、１０…扉閉鎖手段、１１…ガイドレール、１１’…レール部材、１３…ガイドローラ、１４…野菜室扉（引出し扉）、１８…ガスケット、１９…被引き込み部、２０…容器、２１…容器ニゲ部、２２…引き込みピン、２３…ピン揺動中心、２４…ピン揺動部材、２５…ピン回動中心、２６…復帰ばね、２７…ばね支持手段、２８…上カバー、２９…ガイド溝、３０…呼び込み部、３２…中心位置、３３…移動位置、３５…下ケース、３６…回転支点、３７…回転アーム、３８…回転押さえ板、３９…回転ストッパ、４０…引き込み溝、４１…スプリング、４２…スプリング座、４３…スプリング座、４４…復帰リブ、４５…復帰ゲート、４６…復帰ばね、４７…復帰機構、４９…大歯車（第一の歯車）、５０…小歯車（第二の歯車）、５１…底板、５２…減衰手段、５７…ボス、５８…リブ、５９…真空断熱材、６１…断熱材、６２…冷凍室天井面、６６…復帰ゲート支点、６８…床面、６９…ピン出張り寸法、７０…引っ掛け部。
【図１】
2007132605.tif 000003
【図２】
2007132605.tif 000004
【図３】
2007132605.tif 000005
【図４】
2007132605.tif 000006
【図５】
2007132605.tif 000007
【図６】
2007132605.tif 000008
【図７】
2007132605.tif 000009
【図８】
2007132605.tif 000010
【図９】
2007132605.tif 000011
【図１０】
2007132605.tif 000012
【図１１】
2007132605.tif 000013
【図１２】
2007132605.tif 000014
【図１３】
2007132605.tif 000015
【図１４】
2007132605.tif 000016
【図１５】
2007132605.tif 000017
【図１６】
2007132605.tif 000018
【図１７】
2007132605.tif 000019
【図１８】
2007132605.tif 000020
【図１９】
2007132605.tif 000021
【図２０】
2007132605.tif 000022
【図２１】
2007132605.tif 000023
【図２２】
2007132605.tif 000024